(57)【特許請求の範囲】
【請求項１】
第一モジュールと、
前記第一モジュールにより制御される第二モジュールと、
少なくとも前記第一モジュールを取り付け可能な第一コネクターと、
少なくとも前記第一モジュール、および、前記第二モジュールを択一的に取り付け可能な第二コネクターと、
前記第一コネクターと前記第二コネクターとを接続するとともに、前記第一コネクターに接続された前記第一モジュールと前記第二コネクターに接続された前記第一モジュール又は前記第二コネクターに接続された前記第二モジュールとを電気的に接続するデータ伝送路と、を備え、
前記データ伝送路に接続される前記第一モジュールのレーン順と、前記データ伝送路に接続される前記第二モジュールのレーン順とは、反転され、
前記第一コネクターのレーン順と、前記第二コネクターのレーン順とは、反転されているコンピュータ。
【請求項２】
前記第一モジュールが前記第二コネクターに取り付けられた場合に、前記第一モジュールのレーン順を反転させるレーンリバース機能を停止させるレーンリバース停止部を備える請求項１に記載のコンピュータ。
【請求項３】
前記第一コネクターと、前記第二コネクターとを、第１の方向で交互に備える請求項１又は２に記載のコンピュータ。
【請求項４】
前記第一コネクターと、前記第二コネクターとは、前記第１の方向と交差する第２の方向にそれぞれ複数配列されている請求項３に記載のコンピュータ。
【請求項５】
請求項１から４の何れか一項に記載のコンピュータを備え、
前記第一モジュールは、制御ユニットを有し、
前記第二モジュールは、前記制御ユニットの機能を拡張する拡張ユニットを具備するサーバー。
【請求項６】
前記第一コネクターと前記第二コネクターとが固定される基板を備え、前記データ伝送路は、前記基板に形成されている請求項５に記載のサーバー。
【請求項７】
第一コネクターと、前記第一コネクターにデータ伝送路を介して接続される第二コネクターと、に着脱可能に取り付けられ、
前記第一コネクターに対して接続された状態で前記第一コネクターに接続された前記データ伝送路に電気的に接続されるとともに、前記第二コネクターに対して接続された状態で前記第二コネクターに接続された前記データ伝送路に電気的に接続されて、
前記第一コネクターと前記第二コネクターとの何れか一方のレーン順と一致し、前記第一コネクターと前記第二コネクターとの何れか他方のレーン順に対して反転されたレーン順を有するモジュール。
【請求項８】
第一モジュールと、
前記第一モジュールにより制御される第二モジュールと、が着脱可能に取り付けられるコネクターセットであって、
少なくとも前記第一モジュールを取り付け可能な第一コネクターと、
少なくとも前記第一モジュール、および、前記第二モジュールを択一的に取り付け可能な第二コネクターと、
前記第一コネクター、および、前記第二コネクターの間を繋ぐとともに、前記第一コネクターに接続された前記第一モジュールと前記第二コネクターに接続された前記第一モジュール又は前記第二コネクターに接続された前記第二モジュールとを電気的に接続するデータ伝送路と、を備え、
前記第一コネクターのレーン順は、前記第一モジュールのレーン順と一致し、
前記第二コネクターのレーン順は、前記第二モジュールのレーン順と一致しているコネクターセット。
【請求項９】
第一モジュールと、
前記第一モジュールにより制御される第二モジュールと、
少なくとも前記第一モジュールを取り付け可能な第一コネクターと、
少なくとも前記第一モジュール、および、前記第二モジュールを択一的に取り付け可能な第二コネクターと、
前記第一コネクターと前記第二コネクターとを接続するデータ伝送路と、を備え、
前記データ伝送路に接続される前記第一モジュールのレーン順と、前記データ伝送路に接続される前記第二モジュールのレーン順とが互いに反転され、
前記第二コネクターのレーン順が前記第二モジュールのレーン順と合致しているコンピュータの組立方法であって、
前記第一モジュールを前記第一コネクターに取り付ける工程と、
前記第一モジュールと前記第二モジュールとの一方を第二コネクターに取り付ける工程と、を含むコンピュータの組立方法。
【請求項１０】
第一モジュールと、
前記第一モジュールにより制御される第二モジュールと、
少なくとも前記第一モジュールを取り付け可能な第一コネクターと、
少なくとも前記第一モジュール、および、前記第二モジュールを択一的に取り付け可能な第二コネクターと、
前記第一コネクターと前記第二コネクターとを接続するデータ伝送路と、を備え、
前記データ伝送路に接続される前記第一モジュールのレーン順と、前記データ伝送路に接続される前記第二モジュールのレーン順とが互いに反転され、
前記第二コネクターのレーン順が前記第二モジュールのレーン順と合致しているコンピュータの制御方法であって、
前記第一モジュールから前記第二モジュールが認識可能か否かを判定する判定工程と、
前記判定工程によって前記第一モジュールから前記第二モジュールが認識されたと判定された場合に、前記第一モジュールによって前記第二モジュールを制御する拡張制御工程と、
前記判定工程によって前記第一モジュールから前記第二モジュールが認識されないと判定された場合に前記第一モジュール単独で動作する単独動作工程と、を含むコンピュータの制御方法。
【請求項１１】
第一モジュールと、
前記第一モジュールにより制御される第二モジュールと、
少なくとも前記第一モジュールを取り付け可能な第一コネクターと、
少なくとも前記第一モジュール、および、前記第二モジュールを択一的に取り付け可能な第二コネクターと、
前記第一コネクターと前記第二コネクターとを接続するデータ伝送路と、を備え、
前記データ伝送路に接続される前記第一モジュールのレーン順と、前記データ伝送路に接続される前記第二モジュールのレーン順とが互いに反転され、
前記第二コネクターのレーン順が前記第二モジュールのレーン順と合致しているコンピュータの前記第一モジュールに実行させる開通制御プログラムであって、
前記第一モジュールから前記第二モジュールが認識可能か否かを判定する判定工程と、
前記判定工程によって前記第一モジュールから前記第二モジュールが認識されたと判定された場合に、前記第一モジュールによって前記第二モジュールを制御する拡張制御工程と、
前記判定工程によって前記第一モジュールから前記第二モジュールが認識されないと判定された場合に前記第一モジュール単独で動作する単独動作工程と、を前記第一モジュールに実行させる開通制御プログラム。
【発明の詳細な説明】
【技術分野】
【０００１】
この発明は、コンピュータ、サーバー、モジュール、コネクターセット、コンピュータの組立方法、コンピュータの制御方法、および、開通制御プログラムに関する。
【背景技術】
【０００２】
一つの筐体に複数のモジュールを搭載可能なコンピュータにおいては、ＣＰＵモジュールを接続可能なスロット、ストレージモジュールを接続可能なスロット、および、Ｉ／Ｏモジュールを接続可能なスロットなど、モジュールの種類に対応した複数種のスロットが設けられている場合がある。
特許文献１には、ＣＰＵモジュールを接続するＣＰＵモジュール用コネクターと、ＩＯモジュールを接続するＩＯモジュール用コネクターと、ＣＰＵモジュールとＩＯモジュールとを択一的に接続するＣＰＵ／ＩＯモジュール兼用コネクターとを備えたサーバー装置が開示されている。この特許文献１のサーバー装置のＣＰＵ／ＩＯモジュール兼用コネクターは、ＣＰＵモジュール用コネクターと、ＩＯモジュール用コネクターとが一体化され、ＣＰＵモジュールとＩＯモジュールとが刺さる個所がそれぞれ個別に設けられている。
【先行技術文献】
【特許文献】
【０００３】
【特許文献１】特開２００９−１８７１７２号公報
【発明の概要】
【発明が解決しようとする課題】
【０００４】
ところで、複数のスロットを備えるマイクロサーバーなどのコンピュータにあっては、クライアントの仕様に応じてＣＰＵモジュールや拡張モジュールを搭載可能に設計する。しかし、特許文献１のように、これらモジュールの種類に応じた専用のスロットを設置しようとした場合、クライアントの仕様ごとに設計変更が必要となり、設計が複雑化してコストが上昇してしまう。
この発明は、サーバーの拡張性を向上するとともに、設計が複雑化したり、コストが上昇したりすることを抑制することができるコンピュータ、サーバー、モジュール、コネクターセット、コンピュータの組立方法、コンピュータの制御方法、および、開通制御プログラムを提供することを目的とする。
【課題を解決するための手段】
【０００５】
上記課題を解決するために、この発明は以下の手段を採用する。
この発明のコンピュータは、第一モジュールと、前記第一モジュールにより制御される第二モジュールと、少なくとも前記第一モジュールを取り付け可能な第一コネクターと、少なくとも前記第一モジュール、および、前記第二モジュールを択一的に取り付け可能な第二コネクターと、前記第一コネクターと前記第二コネクターとを接続するとともに、前記第一コネクターに接続された前記第一モジュールと前記第二コネクターに接続された前記第一モジュール又は前記第二コネクターに接続された前記第二モジュールとを電気的に接続するデータ伝送路と、を備え、前記データ伝送路に接続される前記第一モジュールのレーン順と、前記データ伝送路に接続される前記第二モジュールのレーン順とは、互いに反転され、前記第一コネクターのレーン順と、前記第二コネクターのレーン順とは、互いに反転されている。
【０００６】
この発明のサーバーは、上記コンピュータを備え、前記第一モジュールが制御ユニットを有し、前記第二モジュールが前記制御ユニットの機能を拡張する拡張ユニットを具備している。
【０００７】
この発明のモジュールは、第一コネクターと、前記第一コネクターにデータ伝送路を介して接続される第二コネクターと、に着脱可能に取り付けられ、前記第一コネクターに対して接続された状態で前記第一コネクターに接続された前記データ伝送路に電気的に接続されるとともに、前記第二コネクターに対して接続された状態で前記第二コネクターに接続された前記データ伝送路に電気的に接続されて、前記第一コネクターと前記第二コネクターとの何れか一方のレーン順と一致し、前記第一コネクターと前記第二コネクターとの何れか他方のレーン順に対して反転されたレーン順を有する。
【０００８】
この発明のコネクターセットは、第一モジュールと、前記第一モジュールにより制御される第二モジュールと、が着脱可能に取り付けられるコネクターセットであって、少なくとも前記第一モジュールを取り付け可能な第一コネクターと、少なくとも前記第一モジュール、および、前記第二モジュールを択一的に取り付け可能な第二コネクターと、前記第一コネクター、および、前記第二コネクターの間を繋ぐとともに、前記第一コネクターに接続された前記第一モジュールと前記第二コネクターに接続された前記第一モジュール又は前記第二コネクターに接続された前記第二モジュールとを電気的に接続するデータ伝送路と、を備え、前記第一コネクターのレーン順は、前記第一モジュールのレーン順と一致し、前記第二コネクターのレーン順は、前記第二モジュールのレーン順と一致している。
【０００９】
この発明のコンピュータの組立方法は、第一モジュールと、前記第一モジュールにより制御される第二モジュールと、少なくとも前記第一モジュールを取り付け可能な第一コネクターと、少なくとも前記第一モジュール、および、前記第二モジュールを択一的に取り付け可能な第二コネクターと、前記第一コネクターと前記第二コネクターとを接続するデータ伝送路と、を備え、前記データ伝送路に接続される前記第一モジュールのレーン順と、前記データ伝送路に接続される前記第二モジュールのレーン順とが互いに反転され、前記第二コネクターのレーン順が前記第二モジュールのレーン順と合致しているコンピュータの組立方法であって、前記第一モジュールを前記第一コネクターに取り付ける工程と、前記第一モジュールと前記第二モジュールとの一方を第二コネクターに取り付ける工程と、を含む。
【００１０】
この発明のコンピュータの制御方法は、第一モジュールと、前記第一モジュールにより制御される第二モジュールと、少なくとも前記第一モジュールを取り付け可能な第一コネクターと、少なくとも前記第一モジュール、および、前記第二モジュールを択一的に取り付け可能な第二コネクターと、前記第一コネクターと前記第二コネクターとを接続するデータ伝送路と、を備え、前記データ伝送路に接続される前記第一モジュールのレーン順と、前記データ伝送路に接続される前記第二モジュールのレーン順とが互いに反転され、前記第二コネクターのレーン順が前記第二モジュールのレーン順と合致しているコンピュータの制御方法であって、前記第一モジュールから前記第二モジュールが認識可能か否かを判定する判定工程と、前記判定工程によって前記第一モジュールから前記第二モジュールが認識されたと判定された場合に、前記第一モジュールによって前記第二モジュールを制御する拡張制御工程と、前記判定工程によって前記第一モジュールから前記第二モジュールが認識されないと判定された場合に前記第一モジュール単独で動作する単独動作工程と、を含む。
【００１１】
この発明の開通制御プログラムは、第一モジュールと、前記第一モジュールにより制御される第二モジュールと、少なくとも前記第一モジュールを取り付け可能な第一コネクターと、少なくとも前記第一モジュール、および、前記第二モジュールを択一的に取り付け可能な第二コネクターと、前記第一コネクターと前記第二コネクターとを接続するデータ伝送路と、を備え、前記データ伝送路に接続される前記第一モジュールのレーン順と、前記データ伝送路に接続される前記第二モジュールのレーン順とが互いに反転され、前記第二コネクターのレーン順が前記第二モジュールのレーン順と合致しているコンピュータの前記第一モジュールに実行させる開通制御プログラムであって、前記第一モジュールから前記第二モジュールが認識可能か否かを判定する判定工程と、前記判定工程によって前記第一モジュールから前記第二モジュールが認識されたと判定された場合に、前記第一モジュールによって前記第二モジュールを制御する拡張制御工程と、前記判定工程によって前記第一モジュールから前記第二モジュールが認識されないと判定された場合に前記第一モジュール単独で動作する単独動作工程と、を前記第一モジュールに実行させる。
【発明の効果】
【００１２】
上記コンピュータによれば、サーバーの拡張性を向上するとともに、設計が複雑化したり、コストが上昇したりすることを抑制することができる。
【図面の簡単な説明】
【００１３】
【図１】この発明の第一実施形態におけるコンピュータの斜視図である。
【図２】この発明の第一実施形態における第一コネクターに第一モジュールを接続し、第二コネクターに第二モジュールを接続した状態を示す図である。
【図３】この発明の第一実施形態における第一コネクターと第二コネクターとの両方に第一モジュールを接続した状態を示す図である。
【図４】この発明の第二実施形態におけるコンピュータの平面図である。
【図５】この発明の第三実施形態における図２に相当する図である。
【図６】この発明の第三実施形態における図３に相当する図である。
【図７】この発明の第三実施形態におけるコンピュータの組立方法のフローである。
【図８】この発明の第三実施形態における第一モジュールで実行する開通制御の処理フローである。
【発明を実施するための形態】
【００１４】
次に、この発明の第一実施形態に係るコンピュータ、モジュール、および、コネクターセットを図面に基づき説明する。
図１は、この発明の第一実施形態におけるコンピュータの斜視図である。
図１に示すように、コンピュータ１０１は、モジュール２と、コネクター３と、データ伝送路４と、を備えている。このコンピュータ１０１は、例えば、複数のサーバーユニットを実装可能な複合型の高密度サーバーなどに適用可能である。
【００１５】
モジュール２は、様々な機能を実現するためのハードウェアやプログラムなどを具備している。モジュール２としては、機能の異なる第一モジュール２ａと、第二モジュール２ｂと、の少なくとも二種類のモジュールを備えている。第一モジュール２ａは、例えば、ＣＰＵ（Central Processing Unit）等を備え、様々な演算処理や制御処理等を行う。第二モジュール２ｂは、第一モジュール２ａによって制御される。この第二モジュール２ｂは、第一モジュール２ａの機能を拡張する、いわゆる拡張モジュールである。第二モジュール２ｂとしては、例えば、ネットワークインターフェースを有する拡張モジュールが例示できる。これら第一モジュール２ａと第二モジュール２ｂとは、それぞれコネクター３に取り付け可能とされている。この実施形態においては、複数のモジュール２として第一モジュール２ａと第二モジュール２ｂとの少なくとも二種類を含んでモジュールセットが構成されている。
【００１６】
コネクター３は、第一コネクター３ａと、第二コネクター３ｂと、を備えている。第一コネクター３ａは、第一モジュール２ａが取り付けられる。第二コネクター３ｂは、第一モジュール２ａと第二モジュール２ｂとが択一的に取り付けられる。この第一実施形態における第一コネクター３ａは、コンピュータ１０１の運用上、第二モジュール２ｂが取り付けられないようになっている。しかし、第一コネクター３ａは、第二コネクター３ｂと同様に、第一モジュール２ａと第二モジュール２ｂとの両方を、それぞれ着脱可能な形状に形成されている。
【００１７】
データ伝送路４は、第一コネクター３ａと、第二コネクター３ｂとを繋いでいる。このデータ伝送路４により、第一コネクター３ａと第二コネクター３ｂとの間でデータ伝送が可能となっている。このデータ伝送路４は、例えば、「ＰＣＩ  Ｅｘｐｒｅｓｓ」（Peripheral Components Interconnect Express）の規格で形成されたデータ伝送路を用いることができる。このデータ伝送路４は、複数の伝送路４ａから構成されている。これら伝送路４ａは、それぞれデータ伝送路４のレーンに対応している。ここで、図１においては、図示都合上、１つのレーンが１つの伝送路４ａで形成されているが、１つのレーンは、双方向通信を行うために複数の伝送路４ａから構成される。また、図１においては、レーン数が４つの場合を示しているが、レーンの数は、４つに限られない。上述した第一コネクター３ａと、第二コネクター３ｂと、データ伝送路４とによって、この発明のコネクターセットが構成される。
【００１８】
第一モジュール２ａのレーン順と、第二モジュール２ｂのレーン順とは、互いに反転された状態になっている。例えば、図１に示すように、第一モジュール２ａのレーン番号が左側から「０，１，２，３」の順で並んでいる場合には、第二モジュール２ｂのレーン番号は、左側から「３，２，１，０」の順で並ぶこととなる。但し、これら第一モジュール２ａ、および、第二モジュール２ｂのレーン順が互いに反転された状態は、第一モジュール２ａと第二モジュール２ｂとの各正面が同じ側を向いてコネクター３にそれぞれ取り付けられることが前提条件とされている。
【００１９】
同様に、第一コネクター３ａのレーン順と、第二コネクター３ｂのレーン順とは、互いに反転された状態になっている。例えば、第一コネクター３ａに第一モジュール２ａが取り付けられた場合、第一コネクター３ａの４つの伝送路４ａに対して割り当てられるレーン番号は、左から順に「０，１，２，３」となる。これに対して、第二コネクター３ｂは、４つの伝送路４ａは、レーン番号が左から順に「３，２，１，０」となるように反転して配列されている。
【００２０】
第一モジュール２ａと、第二モジュール２ｂとは、伝送路４ａを介して接続される互いのレーン番号が一致した場合にのみ、相手を認識することができる。例えば、第一コネクター３ａに取り付けられるモジュール２と、第二コネクター３ｂに取り付けられるモジュール２の「０」レーン同士、「１」レーン同士、「２」レーン同士、「３」レーン同士がそれぞれデータ伝送路４を介して接続された場合に、相手のモジュール２を認識することができる。
【００２１】
図２は、この発明の第一実施形態における第一コネクターに第一モジュールを接続し、第二コネクターに第二モジュールを接続した状態を示す図である。図３は、この発明の第一実施形態における第一コネクターと第二コネクターとの両方に第一モジュールを接続した状態を示す図である。
【００２２】
つまり、上述した第一実施形態によれば、図２に示すように、第一コネクター３ａに第一モジュール２ａを接続し、第二コネクター３ｂに第二モジュール２ｂを接続した場合、互いのレーン番号が合致するため、データ伝送路４を介して第一モジュール２ａと第二モジュール２ｂとが接続されてデータ伝送が可能となる。つまり、第一モジュール２ａによる第二モジュール２ｂの制御が可能となる。
【００２３】
一方で、第一コネクター３ａと、第二コネクター３ｂとの両方に第一モジュール２ａを取り付けた場合には（図３参照）、データ伝送路４により接続される第一モジュール２ａ同士のレーン番号が一致しない。これにより、第一コネクター３ａに取り付けられた第一モジュール２ａから第二コネクター３ｂに取り付けられた第一モジュール２ａを認識できない。そのため、第一モジュール２ａ同士の間で、何らの識別処理を行うことなしに、第一モジュール２ａをそれぞれ個別に動作させることができる。
【００２４】
その結果、第一モジュール２ａの専用コネクターと、第二モジュール２ｂの専用コネクターとをそれぞれ設ける必要がないため、クライアントの仕様に応じた設計変更などにより設計が複雑化することを抑制できる。さらに、簡易な構成で第一コネクター３ａに接続された第一モジュール２ａから、第二コネクター３ｂに接続されたモジュールの種類を判別できるため、コストが上昇することを抑制できる。
【００２５】
次に、この発明の第二実施形態を図面に基づき説明する。この第二実施形態は、上述した第一実施形態のコネクターを、基板上に複数配列して設けている点で異なる。そのため、第一実施形態と同一部分に同一符号を付して説明するとともに、重複説明を省略する。
図４は、この発明の第二実施形態におけるコンピュータの平面図である。
図４に示すように、この第二実施形態のコンピュータ２０１は、モジュール２（図示せず）と、コネクター３と、データ伝送路４と、基板１０と、を備えている。
【００２６】
コネクター３は、基板１０上に固定されている。コネクター３は、第１の方向Ｄ１に複数配列されている。コネクター３は、さらに第１の方向Ｄ１と交差する基板１０の面に沿う第２の方向Ｄ２にも複数配列されている。この第二実施形態においては、第２の方向Ｄ２が第１の方向Ｄ１と直交する場合を一例に説明するが、第２の方向Ｄ２は第１の方向Ｄ１と直交する場合に限られない。また、図４に示す第１の方向Ｄ１および第２の方向Ｄ２にそれぞれ配列される各コネクター３の個数は一例であり、この個数に限られるものではない。図４中、この第２実施形態における第１の方向Ｄ１および第２の方向Ｄ２を矢印で示している。
【００２７】
コネクター３は、上述した第一実施形態と同様に、第一コネクター３ａと、第二コネクター３ｂとを備えている。この実施形態における第一コネクター３ａは、奇数列１１ａに配置されている。一方で、第二コネクター３ｂは、偶数列１１ｂに配置されている。奇数列１１ａに配置されている第一コネクター３ａは、奇数列をＮ列とした場合、Ｎ＋１列の偶数列１１ｂに配置されている第二コネクター３ｂのうち、第１の方向Ｄ１で隣り合う第二コネクター３ｂとデータ伝送路４を介して接続されている。
【００２８】
基板１０は、例えば、ＰＣＢ（Printed Circuit Board）などからなる。この基板１０は、筐体（図示せず）などに収容されて用いられる。この基板１０に、データ伝送路４が形成されている。この基板１０としては、例えば、多層プリント基板を用いることができる。
【００２９】
したがって、上述した第二実施形態によれば、第一モジュール２ａと第二モジュール２ｂとを連係させて動作させたい場合には、偶数列であるＮ列の第一コネクター３ａに第一モジュール２ａを接続して、この第一モジュール２ａの接続される第一コネクター３ａと第１の方向Ｄ１で隣り合う第二コネクター３ｂに第二モジュール２ｂを接続するだけでよい。
【００３０】
これにより、基板１０に形成されるデータ伝送路４を介して第一モジュール２ａによって第二モジュール２ｂを制御することができる。一方で、第一モジュール２ａを第二モジュール２ｂとの接続無しに単独で動作させたい場合には、第一モジュール２ａを複数のコネクター３の何れに接続しても動作させることができる。そのため、基板１０上にコネクター３が複数配列されている場合であっても、第一モジュールを２ａと第二モジュール２ｂとの接続状態を第１の方向Ｄ１に基づいて容易に把握することができる。
【００３１】
また、この第二実施形態にあっては、コネクター３の長手方向が第１の方向Ｄ１を向くように配置されているため、コネクター３の長手方向に基づき第１の方向Ｄ１を容易に把握することができる。
【００３２】
ここで、上述した第二実施形態のコンピュータ２０１では、コネクター３の長手方向が第１の方向Ｄ１を向く場合を例示した。しかし、この構成に限られない。例えば、コネクター３の短手方向が第１の方向Ｄ１を向くようにしても良い。このようにコネクター３の短手方向が第１の方向Ｄ１を向くようにした場合、第一コネクター３ａと第二コネクター３ｂとを最短距離で接続できる。そのため、データ伝送路４の配線インピーダンスを低減できる点で有利となる。
【００３３】
次に、この発明の第三実施形態を図面に基づき説明する。この第三実施形態は、上述した各実施形態の構成を、複数のサーバーユニットを搭載可能な高密度サーバーに適用したものである。そのため、この第三実施形態では、上述した各実施形態と同一部分に同一符号を付して説明する。また、重複する説明を省略する。また、この実施形態の説明においては、複数のコネクターセットのうち、一組のコネクターセットを代表例として説明する。
図５は、この発明の第三実施形態における図２に相当する図である。図６は、この発明の第三実施形態における図３に相当する図である。
【００３４】
図５に示すように、この第三実施形態におけるコンピュータ３０１は、第一モジュール２ａと、第二モジュール２ｂと、第一コネクター３ａと、第二コネクター３ｂと、データ伝送路４と、基板１０と、筐体１４と、を備えている。
第一モジュール２ａは、制御ユニット（ＣＰＵ）１２を有している。一方で、第二モジュール２ｂは、拡張ユニット（ＬＡＮ）１３を有している。この第二モジュール２ｂは、第一モジュール２ａの通信機能を拡張する。
【００３５】
データ伝送路４は、複数の伝送路４ａを備えている。この実施形態においては、第一実施形態と同様に４つの伝送路４ａを有している場合を一例にして説明する。
第一コネクター３ａは、その内部に、複数の電極部５ａａ，５ａｂ，５ａｃ，５ａｄを有している。これら電極部５ａａ，５ａｂ，５ａｃ，５ａｄは、一列に配列されている。これら電極部５ａａ，５ａｂ，５ａｃ，５ａｄには、伝送路４ａのそれぞれの第一端部６ａが一つずつ接続されている。
【００３６】
同様に、第二コネクター３ｂは、その内部に、複数の電極部５ｂａ，５ｂｂ，５ｂｃ，５ｂｄを有している。これら電極部５ｂａ，５ｂｂ，５ｂｃ，５ｂｄは、一列に配列されている。第一コネクター３ａ内における電極部５ａａ，５ａｂ，５ａｃ，５ａｄの配置と、第二コネクター３ｂ内における電極部５ｂａ，５ｂｂ，５ｂｃ，５ｂｄの配置とは、互いに対応する同一位置とされている。これら電極部５ｂａ，５ｂｂ，５ｂｃ，５ｂｄには、伝送路４ａのそれぞれの第二端部６ｂが一つずつ接続されている。
【００３７】
電極部５ａａ，５ａｂ，５ａｃ，５ａｄは、伝送路４ａを介して電極部５ｂａ，５ｂｂ，５ｂｃ，５ｂｄにそれぞれ接続されている。より具体的には、電極部５ａａは、電極部５ｂｄに接続され、電極部５ａｂは、電極部５ｂｃに接続されている。さらに、電極部５ａｃは、電極部５ｂｂに接続され、電極部５ａｄは、電極部５ｂａに接続されている。つまり、電極部５ｂａ，５ｂｂ，５ｂｃ，５ｂｄは、電極部５ａａ，５ａｂ，５ａｃ，５ａｄに対してレーン順が反転するように配列されている。
【００３８】
第一モジュール２ａは、第二モジュール２ｂとの間でデータ伝送を行うための複数の電極部７ａａ，７ａｂ，７ａｃ，７ａｄをそれぞれ備えている。これら電極部７ａａ，７ａｂ，７ａｃ，７ａｄは、第一モジュール２ａが第一コネクター３ａに取り付けられた場合に、電極部５ａａ，５ａｂ，５ａｃ，５ａｄとそれぞれ接続される。より具体的には、電極部７ａａが電極部５ａａと接続され、電極部７ａｂが電極部５ａｂと接続される。さらに、電極部７ａｃが電極部５ａｃと接続され、電極部７ａｄが電極部５ａｄと接続される。
【００３９】
さらに、第二モジュール２ｂは、第一モジュール２ａとの間でデータ伝送を行うための複数の電極部７ｂａ，７ｂｂ，７ｂｃ，７ｂｄをそれぞれ備えている。これら電極部７ｂａ，７ｂｂ，７ｂｃ，７ｂｄは、第二モジュール２ｂが第二コネクター３ｂに取り付けられた場合に、電極部５ｂａ，５ｂｂ，５ｂｃ，５ｂｄとそれぞれ接続される。より具体的には、電極部７ｂａが電極部５ｂａと接続され、電極部７ｂｂが電極部５ｂｂと接続される。さらに、電極部７ｂｃが電極部５ｂｃと接続され、電極部７ｂｄが電極部５ｂｄと接続される。
【００４０】
一方で、第一モジュール２ａの電極部７ａａ，７ａｂ，７ａｃ，７ａｄは、第一モジュール２ａが第二コネクター３ｂに取り付けられた場合に、電極部５ｂａ，５ｂｂ，５ｂｃ，５ｂｄとそれぞれ接続される。より具体的には、電極部７ａａが電極部５ｂａと接続され、電極部７ａｂが電極部５ｂｂと接続される。さらに、電極部７ａｃが電極部５ｂｃと接続され、電極部７ａｄが電極部５ｂｄと接続される。
【００４１】
ここで、データ伝送路４が、「ＰＣＩ  Ｅｘｐｒｅｓｓ」の規格で形成され、且つ、第一モジュール２ａの制御ユニット１２が、自動的に第一モジュール２ａのレーン順を反転させる、いわゆるレーンリバース機能を有している場合には、このレーンリバース機能を停止させるレーンリバース停止部２０（図５、図６参照）を第一モジュール２ａに設けるようにしても良い。
【００４２】
この第三実施形態における第一コネクター３ａ、および、第二コネクター３ｂには、それぞれ第三電極部５ｃが形成されている。この第三電極部５ｃは、ＬＡＮ（Local Area Network）等のネットワーク（Ｎｅｔ）に接続されている。第一コネクター３ａ、および、第二コネクター３ｂに設けられた各第三電極部５ｃは、第一コネクター３ａ内における配置と、第二コネクター３ｂ内における配置とが、それぞれ同一配置となっている。
【００４３】
一方で、第一モジュール２ａ、および、第二モジュール２ｂは、第一コネクター３ａに取り付けられた場合、および、第二コネクター３ｂに取り付けられた場合の、何れの場合においても第三電極部５ｃに電気的に接続される電極部７ｃをそれぞれ備えている。つまり、第一モジュール２ａは、第一コネクター３ａと、第二コネクター３ｂとの何れに取り付けられた場合であっても、各々独立して動作すること（例えば、外部と通信すること）が可能となっている。
【００４４】
次に、上述した第三実施形態におけるコンピュータの組立方法について図面を参照しながら説明する。
図７は、この発明の第三実施形態におけるコンピュータの組立方法のフローである。
図７に示すように、まず、第一コネクター３ａに第一モジュール２ａを取り付ける（ステップＳ０１）。次いで、第二コネクター３ｂに第一モジュール２ａと第二モジュール２ｂとの一方を取り付ける（ステップＳ０２）。
【００４５】
ここで、図６に示すように、第一モジュール２ａが、上述したＮ列に配される第一コネクター３ａに取り付けられると、その制御ユニット１２は、第一コネクター３ａの電極部５ａａ，５ａｂ，５ａｃ，５ａｄに電気的に接続される。
さらに、第一モジュール２ａが上述したＮ＋１列に配される第二コネクター３ｂに取り付けられると、その制御ユニット１２は、第二コネクター３ｂの電極部５ｂａ，５ｂｂ，５ｂｃ，５ｂｄに電気的に接続される。
【００４６】
しかし、第二コネクター３ｂの電極部５ｂａ，５ｂｂ，５ｂｃ，５ｂｄは、第一コネクター３ａとレーン順が反転されるように配列されているため、第一コネクター３ａに取り付けられた第一モジュール２ａの制御ユニット１２から、第二コネクター３ｂに取り付けられた第一モジュール２ａの制御ユニット１２は認識されない状態となる。これにより、これら制御ユニット１２同士はデータ伝送路４を介して互いに認識できない状態となる。つまり、それぞれ独立したサーバーとして動作する状態となる。
【００４７】
一方で、第二モジュール２ｂが上記Ｎ＋１列の第二コネクター３ｂに取り付けられると、その拡張ユニット１３は、第二コネクター３ｂの電極部５ｂａ，５ｂｂ，５ｂｃ，５ｂｄに電気的に接続される。第二モジュール２ｂの電極部７ｂａ，７ｂｂ，７ｂｃ，７ｂｄのレーン順は、第二コネクター３ｂの電極部５ｂａ，５ｂｂ，５ｂｃ，５ｂｄのレーン順と一致する。そのため、第一モジュール２ａの制御ユニット１２から、第二モジュール２ｂの拡張ユニット１３は認識できる状態となる。そのため、拡張ユニット１３と制御ユニット１２との間でデータ伝送が可能になる。これにより、拡張ユニット１３は、制御ユニット１２によってその動作が制御可能な状態となる。つまり、第一モジュール２ａの通信機能が拡張されて、第一モジュール２ａと第二モジュール２ｂとの組み合わせが一つのサーバーとして動作する状態となる。
【００４８】
ここで、上述した第一コネクター３ａに取り付けられた第一モジュール２ａにおいては、第二コネクター３ｂに対する第二モジュール２ｂの取り付けの有無を判定するために、所定のタイミングで第二モジュール２ｂの認識動作を行うようにしても良い。また、この実施形態においては、第一モジュール２ａと第二モジュール２ｂとを一組だけ図示したが、図４に示すように複数のコネクター３を基板１０上に配列している場合も同様である。
【００４９】
次に、上述した第三実施形態のコンピュータ３０１の第一モジュール２ａの、データ伝送路４を介する通信回線を自動的に開通する開通制御について、図８の処理フローを参照しながら説明する。
図８は、この発明の第三実施形態における第一モジュールで実行する開通制御の処理フローである。
まず、第一コネクター３ａに対して第一モジュール２ａを取り付ける。ここで、第一コネクター３ａから第一モジュール２ａには、電力が供給されるようになっている。すると、第一モジュール２ａの制御ユニット１２は、データ伝送路４を介して第二モジュール２ｂが認識されるか否か、より具体的には、第二モジュール２ｂの拡張ユニット１３が認識されるか否かを判定する（ステップＳ１１；判定工程）。
第一モジュール２ａの制御ユニット１２は、上記の判定の結果、第二モジュール２ｂの拡張ユニット１３が認識される場合には（ステップＳ１１にて「Ｙｅｓ」）、第二モジュール２ｂとの間の双方向通信の開始制御（図示せず）を行い、第二モジュール２ｂの拡張ユニット１３の制御を開始する（ステップＳ１２；拡張制御工程）。
一方で、第一モジュール２ａの制御ユニット１２は、上記の判定の結果、第二モジュール２ｂの拡張ユニット１３が認識されない場合には（ステップＳ１１にて「Ｎｏ」）、機能拡張を行わずに、第一モジュール２ａ単独で独立したサーバーとしての動作を開始する（ステップＳ１３；単独動作工程）。
【００５０】
したがって、上述した第三実施形態によれば、第一モジュール２ａのサーバー機能を拡張する第二モジュール２ｂを取り付けるための専用のコネクターを設ける必要がない。また、第一モジュール２ａのサーバー機能を拡張したい場合には、機能を拡張したい第一モジュール２ａをＮ列の第一コネクター３ａに取り付け、この第一コネクター３ａと第１の方向Ｄ１で隣り合うＮ＋１列の第二コネクター３ｂに第二モジュール２ｂを取り付ければよい。そのため、クライアントの仕様に応じて柔軟且つ容易にサーバー機能の拡張を行うことができる。
【００５１】
さらに、Ｎ＋１列の第二コネクター３ｂに第一モジュール２ａを取り付けることで、Ｎ列の第一コネクター３ａに取り付けられた第一モジュール２ａと、Ｎ＋１列の第二コネクター３ｂに取り付けられた第一モジュール２ａとを、それぞれ独立したサーバーとして動作させることもできる。
その結果、高密度サーバーなどのサーバーの拡張性を向上するとともに、サーバーの設計が複雑化したり、コストが上昇したりすることを抑制することができる。
【００５２】
また、上述したコンピュータ３０１を組み立てる際には、第二コネクター３ｂに対して第一モジュール２ａ、又は、第二モジュール２ｂを取り付けるだけで、第一コネクター３ａに取り付けられた第一モジュール２ａの機能を拡張させるか、個別に動作させるか、をデータ伝送路４の切替等の操作を何ら行うことなく選択することができる。その結果、組み立て作業の複雑化を抑制して、作業者の負担を軽減できる。
【００５３】
また、第一コネクター３ａと第二コネクター３ｂとの両方に第一モジュール２ａが取り付けられた場合には、双方向通信の開始制御（Ａｃｋ応答等）を行うことなく、各第一モジュール２ａを独立したサーバーとして動作開始させることができる。そのため、迅速にサーバーとしての動作を開始させることができる。
【００５４】
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００５５】
さらに、第一コネクター３ａ、および、第二コネクター３ｂの形状は、各実施形態で例示した形状に限られない。
【００５６】
例えば、上述した第三実施形態においては、電極部５ａａ，５ａｂ，５ａｃ，５ａｄと、電極部５ｂａ，５ｂｂ，５ｂｃ，５ｂｄとが、何れも第一コネクター３ａ、および、第二コネクター３ｂの各コネクター３の長手方向に配列される場合を例示した。しかし、これら電極部５ａａ，５ａｂ，５ａｃ，５ａｄ、および、電極部５ｂａ，５ｂｂ，５ｂｃ，５ｂｄとの配列される方向は、各コネクター３の長手方向に限られない。
【００５７】
また、上述した第三実施形態では、第二モジュール２ｂが拡張ユニットを有し、通信（ＬＡＮ）機能の拡張を行う場合を例示したが、サーバーの拡張機能としては、通信機能に限られない。
【００５８】
上述のコンピュータにおける第一モジュール２ａの動作は、プログラムの形式でコンピュータ読み取り可能な記録媒体Ｄ（図５、図６参照）に記録して、このプログラムを第一モジュール２ａの制御ユニット１２の制御用のコンピュータシステムに読み込ませ、実行することにより各部の処理を行っても良い。ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。「コンピュータ読み取り可能な記録媒体」は、磁気ディスク、光磁気ディスク、ＣＤ−ＲＯＭ、ＤＶＤ−ＲＯＭ、半導体メモリ等をいう。また、このプログラムを通信回線によってコンピュータシステムに配信し、この配信を受けたコンピュータシステムが当該プログラムを実行するようにしても良い。
【００５９】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６０】
２  モジュール
２ａ  第一モジュール
２ｂ  第二モジュール
３  コネクター
３ａ  第一コネクター
３ｂ  第二コネクター
４  データ伝送路
４ａ  伝送路
５ａａ  電極部
５ａｂ  電極部
５ａｃ  電極部
５ａｄ  電極部
５ｂａ  電極部
５ｂｂ  電極部
５ｂｃ  電極部
５ｂｄ  電極部
５ｃ  第三電極部
６ａ  第一端部
６ｂ  第二端部
７ａａ  電極部
７ａｂ  電極部
７ａｃ  電極部
７ａｄ  電極部
７ｂａ  電極部
７ｂｂ  電極部
７ｂｃ  電極部
７ｂｄ  電極部
７ｃ  電極部
１０  基板
１１ａ  奇数列
１１ｂ  偶数列
１２  制御ユニット
１３  拡張ユニット
１４  筐体
２０  レーンリバース停止部
１０１，２０１，３０１  コンピュータ
【図１】
0006028824.tif 000002
【図２】
0006028824.tif 000003
【図３】
0006028824.tif 000004
【図４】
0006028824.tif 000005
【図５】
0006028824.tif 000006
【図６】
0006028824.tif 000007
【図７】
0006028824.tif 000008
【図８】
0006028824.tif 000009